(57)【要約】【課題】  コーナーポストを介して複数のパネルを平面視直線状、Ｌ字状、Ｔ字状又は十字状に連結する構造の間仕切装置において、前記パネルに連結したポスト本体の露出側面を覆うポストカバーを簡単に作成することができ、またパネルの高さに応じてコーナーポスト及びポストカバーを施工可能で汎用性も高い間仕切装置におけるポストカバー構造を提供する。【解決手段】  複数の単位パネル１を上下左右に連結するとともに、該単位パネルの一端部にコーナーポスト４、エンドポスト、終端ポスト、中間ポスト等のポスト本体を連結するとともに、ポスト本体７２の連結に供しない露出側面をポストカバー７３で覆った構造の間仕切装置において、ポスト本体は単位パネルに対応する上下寸法を有し、複数のポスト本体を上下に複数接続し、各ポスト本体にそれぞれポストカバーを係止してなる。【選択図】        図１５
2010037794.tif 000002
【特許請求の範囲】
【請求項１】
複数の単位パネルを上下左右に連結するとともに、該単位パネルの一端部にコーナーポスト、エンドポスト、終端ポスト、中間ポスト等のポスト本体を連結するとともに、ポスト本体の連結に供しない露出側面をポストカバーで覆った構造の間仕切装置において、前記ポスト本体は前記単位パネルに対応する上下寸法を有し、複数のポスト本体を上下に複数接続し、各ポスト本体にそれぞれ前記ポストカバーを係止してなることを特徴とする間仕切装置におけるポストカバー構造。
【請求項２】
コーナーポストを介して複数のパネルを平面視Ｌ字状に連結し、パネルの終端部にエンドポストを設けた構造の間仕切装置において、前記パネルに連結したポスト本体の露出側面を覆う平面視Ｌ字形又はコ字形のポストカバーであって、長手方向に沿って複数の係止部を平行に有する押し出し型材を用い、該型材を長手方向と直角に所定の幅で切断し、該型材を加工して前記係止部を内側にして平面視Ｌ字形又はコ字形に成形するとともに、コーナー部に係止部を利用してＬ字形保形部材を嵌合して形状を維持してなる請求項１記載の間仕切装置におけるポストカバー構造。
【請求項３】
前記型材の内面にＶ字形の切れ込みを入れ、この部分で折曲して切断面を接合し、９０度の角度のコーナー部を形成するとともに、コーナー部の両側に連続する前記係止部に前記保形部材を嵌合してなる請求項２記載の間仕切装置におけるポストカバー構造。
【請求項４】
複数枚の前記型材の端面に４５度の角度の傾斜面を形成し、各傾斜面を接合して９０度の角度のコーナー部を形成するとともに、コーナー部の両側に連続する前記係止部に前記保形部材を嵌合してなる請求項２記載の間仕切装置におけるポストカバー構造。
【請求項５】
前記保形部材は、二つの嵌合片が平面視Ｌ字形に配した合成樹脂製部材であり、両嵌合片が断面略Ｌ字形の前記係止部に上方から嵌合し、各嵌合片の一部に形成した弾性片を前記係止部に圧接して、その嵌合状態を維持する請求項２〜４何れかに記載の間仕切装置におけるポストカバー構造。
【発明の詳細な説明】
【技術分野】
【０００１】
本発明は、間仕切装置におけるポストカバー構造に係わり、更に詳しくは複数のパネルを連結して構成した間仕切装置においてパネルに連結したポスト本体を覆う化粧用のポストカバーの構造に関するものである。
【背景技術】
【０００２】
従来から間仕切パネル同士を、支柱を介在させて、あるいは支柱を介在させずに順次連結し、またコーナーポストを設けて平面視Ｌ字状、Ｔ字状、十字状に連結し、各間仕切パネルの上端に笠木を設ける構造の間仕切装置は提供されている。
【０００３】
例えば、特許文献１には、支柱を介して次々に間仕切パネルを連結する構造の間仕切装置であるが、端部に位置する間仕切パネルの側端に支柱を連結し、該支柱の外側略半分に押し出し型材からなるエンドカバー枠を外嵌して取付けた構造が記載されている。このエンドカバー枠の取付構造は、エンドカバー枠の一側面に前記支柱を受け入れる凹溝部を形成し、該凹溝部内の両側に弾性変形可能な弾性片を設け、両弾性片を支柱の表裏両面に係合するものである。
【０００４】
また、特許文献２には、柱を介して間仕切パネルを平面視Ｌ字形に連結する構造の間仕切装置において、柱の露出側面には平面視Ｌ字形の柱カバーを装着する構成が記載されている。この柱カバーの構造については記載がないが、柱の側面に形成した挿入孔を利用してフックを係止するものと推測される。
【０００５】
しかい、前述の特許文献１、２に記載のものは、支柱若しくは柱が間仕切パネルの全高にわたって一体物であり、それに装着するエンドカバー枠若しくは柱カバーの略同じ長さの一体物である。特許文献１のエンドカバー枠は、平面視コ字形の概略形状であり、前記支柱の三側面を外覆し、特許文献２の柱カバーは、平面視Ｌ字形であり、前記柱の二側面を外覆するものであるが、それぞれ専用であって汎用性は全くない。
【特許文献１】特許第２９７５２８３号公報
【特許文献２】特許第４０５６６４２号公報
【発明の開示】
【発明が解決しようとする課題】
【０００６】
そこで、本発明が前述の状況に鑑み、解決しようとするところは、コーナーポストを介して複数のパネルを平面視直線状、Ｌ字状、Ｔ字状又は十字状に連結する構造の間仕切装置において、前記パネルに連結したポスト本体の露出側面を覆うポストカバーを簡単に作成することができ、またパネルの高さに応じてコーナーポスト及びポストカバーを施工可能で汎用性も高い間仕切装置におけるポストカバー構造を提供する点にある。
【課題を解決するための手段】
【０００７】
本発明は、前述の課題解決のために、複数の単位パネルを上下左右に連結するとともに、該単位パネルの一端部にコーナーポスト、エンドポスト、終端ポスト、中間ポスト等のポスト本体を連結するとともに、ポスト本体の連結に供しない露出側面をポストカバーで覆った構造の間仕切装置において、前記ポスト本体は前記単位パネルに対応する上下寸法を有し、複数のポスト本体を上下に複数接続し、各ポスト本体にそれぞれ前記ポストカバーを係止してなることを特徴とする間仕切装置におけるポストカバー構造を構成した（請求項１）。
【０００８】
具体的には、コーナーポストを介して複数のパネルを平面視Ｌ字状に連結し、パネルの終端部にエンドポストを設けた構造の間仕切装置において、前記パネルに連結したポスト本体の露出側面を覆う平面視Ｌ字形又はコ字形のポストカバーであって、長手方向に沿って複数の係止部を平行に有する押し出し型材を用い、該型材を長手方向と直角に所定の幅で切断し、該型材を加工して前記係止部を内側にして平面視Ｌ字形又はコ字形に成形するとともに、コーナー部に係止部を利用してＬ字形保形部材を嵌合して形状を維持してなることが好ましい（請求項２）。
【０００９】
ここで、前記型材の内面にＶ字形の切れ込みを入れ、この部分で折曲して切断面を接合し、９０度の角度のコーナー部を形成するとともに、コーナー部の両側に連続する前記係止部に前記保形部材を嵌合してなることが好ましい（請求項３）。
【００１０】
また、複数枚の前記型材の端面に４５度の角度の傾斜面を形成し、各傾斜面を接合して９０度の角度のコーナー部を形成するとともに、コーナー部の両側に連続する前記係止部に前記保形部材を嵌合してなることも好ましい（請求項４）。
【００１１】
そして、前記保形部材は、二つの嵌合片が平面視Ｌ字形に配した合成樹脂製部材であり、両嵌合片が断面略Ｌ字形の前記係止部に上方から嵌合し、各嵌合片の一部に形成した弾性片を前記係止部に圧接して、その嵌合状態を維持することがより好ましい（請求項５）。
【発明の効果】
【００１２】
以上にしてなる請求項１に係る発明の間仕切装置におけるポストカバー構造は、複数の単位パネルを上下左右に連結するとともに、該単位パネルの一端部にコーナーポスト、エンドポスト、終端ポスト、中間ポスト等のポスト本体を連結するとともに、ポスト本体の連結に供しない露出側面をポストカバーで覆った構造の間仕切装置において、前記ポスト本体は前記単位パネルに対応する上下寸法を有し、複数のポスト本体を上下に複数接続し、各ポスト本体にそれぞれ前記ポストカバーを係止してなるので、単位パネルの高さに応じてポスト本体及びポストカバーの高さを設定したので、上下の単位パネル間に形成される横目地が、上下のポストカバー間に形成される横目地とが連続し、横方向の延びる一連の横目地を形成することができ、また上方へ順次ポスト本体を連結し、それにポストカバーを装着するので、間仕切装置の高さを自由に設定することができる。
【００１３】
請求項２によれば、長手方向に沿って複数の係止部を平行に有する押し出し型材を用い、該型材を長手方向と直角に所定の幅で切断し、該型材を加工して前記係止部を内側にして平面視Ｌ字形又はコ字形に成形するとともに、コーナー部に係止部を利用してＬ字形保形部材を嵌合して形状を維持してなるので、平面視Ｌ字形又はコ字形のポストカバーを容易に作製することができるとともに、各面の横幅は自由に設定することができ、それにより各種形状、寸法のポスト本体の露出側面を覆って外観性を高めることができる。また、ポスト本体にポストカバーを取付ける構造であるので、パネルの連結には影響されずポストカバーを着脱することができ、意匠的にアクセントのある色や模様を有するポストカバーへの交換も容易である。
【００１４】
請求項３によれば、前記型材の内面にＶ字形の切れ込みを入れ、この部分で折曲して切断面を接合し、９０度の角度のコーナー部を形成するとともに、コーナー部の両側に連続する前記係止部に前記保形部材を嵌合してなる場合には、各面が連続するので接合面でのずれがない。
【００１５】
請求項４によれば、複数枚の前記型材の端面に４５度の角度の傾斜面を形成し、各傾斜面を接合して９０度の角度のコーナー部を形成するとともに、コーナー部の両側に連続する前記係止部に前記保形部材を嵌合してなる場合には、各面を構成する型材の端面を精度良く加工することができるとともに、追加加工の容易であり、更に接合したコーナー部の外面に折曲による変色が生じることがないのである。
【００１６】
請求項５によれば、前記保形部材は、二つの嵌合片が平面視Ｌ字形に配した合成樹脂製部材であり、両嵌合片が断面略Ｌ字形の前記係止部に上方から嵌合し、各嵌合片の一部に形成した弾性片を前記係止部に圧接して、その嵌合状態を維持するので、簡単に所定形状のポストカバーを容易に作製することができるとともに、保形部材による型材の保形性が良い。
【発明を実施するための最良の形態】
【００１７】
次に、添付図面に示した実施形態に基づき、本発明を更に詳細に説明する。本実施形態の間仕切装置の構造として、単位パネルを上下左右に連結して構成する積上げ式の構造を示しているが、本発明はその構造には限定されず、上下方向に一枚物の間仕切パネルを左右に連結して構成するものでも良く、前記単位パネルを上下に積上げたものを間仕切パネルと見なしても良い。つまり、本発明は最上段の単位パネルの上端あるいは間仕切パネルの上端に沿って笠木を設けるとともに、連結部に配したコーナーポストあるいはエンドポストの上端にキャップを有する構造において、それらの組立構造に係るものであるから、パネルの連結構造等には影響されない。
【００１８】
図１〜図４は、本実施形態の間仕切装置の一部分を示し、図１は直線状連結部、図２はＬ字状連結部、図３はＴ字状連結部、図４は終端部であり、図中符号１は単位パネル、２は笠木、３は笠木キャップ、４はコーナーポスト、５はポストキャップ、６はエンドポスト、７はエンドキャップをそれぞれ示している。
【００１９】
本実施形態に係る積上げ式間仕切装置は、アルミ押出し型材からなる複数の単位パネル１，…を連結手段にて上下左右に連結して所望の高さ及び長さの間仕切装置を構成するとともに、各単位パネル１の上端に同じくアルミ押出し型材からなる笠木２を取付け、該笠木２の一端には笠木キャップ３を設け、更に単位パネル１，…をＬ字状、Ｔ字状あるいは十字状に連結するためにコーナーポスト４を介在させ、該コーナーポスト４の上端にポストキャップ５を嵌着して前記笠木キャップ３と連設し、またパネル終端部には終端面を処理するためにエンドポスト６を連結し、該エンドポスト６の上端にエンドキャップ７を嵌着して前記笠木キャップ３と連設し、前記笠木２、笠木キャップ３、ポストキャップ５及びエンドキャップ７とで、外観的に一連となった上部構造を構成している。
【００２０】
最初に、図１、図５〜図１１を用いて本実施形態の間仕切装置を説明する。前記単位パネル１を上下左右に連結する連結手段は、下連結具８、上連結具９及び締結具１０とから構成されている。また、前記笠木２は、アルミ押出し型材からなる笠木ベース１１と笠木カバー１２、及び笠木２の一端に嵌着する前記笠木キャップ３とから構成されている。
【００２１】
前記単位パネル１は、表面板１３と裏面板１４とが下嵌合部１５と上嵌合部１６及び単又は複数の連結部１７，…で連結された中空形状であり、両側切断面において中央部に凹溝１８を形成し、両側に切断面を覆う鍔部２０と中央部に凹溝部２１を設けた端部部材１９を、該凹溝部２１を凹溝１８に嵌合するとともに、前記連結部１７，…にネジ止めし、該端部部材１９の凹溝部２１内に下係止部２２と上係止部２３を形成したものである。
【００２２】
実際には、前記凹溝１８は、下嵌合部１５と上嵌合部１６及び単又は複数の連結部１７，…の中央部を切り欠いて形成する。そして、前記連結部１７の中央部に一体形成された断面Ｃ字形の下穴２４に前記端部部材１９の凹溝部２１の底部から貫通させたタッピンねじ２５を螺合して取付ける。また、前記端部部材１９は、図８に示すように、前記凹溝１８に嵌合する部分は筒状になっており、複数の単位パネル１，…に跨って取付ける場合に長尺になっても十分な剛性を確保しているため、前記凹溝部２１は浅くなっている。前記前記凹溝部２１の底面部２６の下端部を切り欠いて前記下係止部２２を形成するとともに、該底面部２６の上端部を切り欠いて前記上係止部２３を形成している。
【００２３】
そして、前記単位パネル１の下嵌合部１５と上嵌合部１６は、互いに凹凸嵌合してパネル面外方向の変位を規制する構造となっている。具体的には、前記下嵌合部１５には下方へ開放した係合溝２７，２７を形成し、前記上嵌合部１６には前記下嵌合部１５の係合溝２７に係入する上方へ突設した突部２８，２８を突設している。そして、前記上嵌合部１６の突部２８，２８の間には、開口縁よりも内部が広がった嵌合溝２９を形成している。更に、前記単位パネル１の表面板１３と裏面板１４の上下縁に沿って係止縁３０，…を形成し、上下に位置する単位パネル１，１の係止縁３０，３０を対向させ且つその間に開口部３１を設けて上下の単位パネル間に沿ってハンギング溝３２を形成するようになっている。尚、前記ハンギング溝３２は、前記係止縁３０の他に前記下嵌合部１５と上嵌合部１６の一部も使用して構成され、上下の単位パネル１，１の接合線が該ハンギング溝３２の開口部３１の上縁に一致するように設定し、接合線が見立たないようにしている。同様に、前記笠木カバー１２と単位パネル１間にもハンギング溝３２が形成される。このハンギング溝３２が横目地となるのである。
【００２４】
次に、前記単位パネル１，１を上下左右に連結する連結構造について、図５〜図７に基づいて具体的に説明する。本実施形態の場合、連結部には支柱を介在させず、共通の連結手段で上下方向の連結と左右方向（横方向）の連結を同時に実現することが特徴である。前記下連結具８は、ブロック状の金属部材であり、両側に前記下係止部２２に下方から係止する係止爪部３３，３３を上部に有するとともに、上部中央部に筒部を突設して角孔３４を形成し、更に下部に第１係合部３５を形成している。
【００２５】
一方、前記上連結具９は、ブロック状の金属部材であり、両側に前記上係止部２３に上方から係止する係止爪部３６，３６を下部に有するとともに、下部中央部に筒部を突設して角孔３７を形成し、該角孔３７の内部に上下貫通した通孔３８を形成し、更に上部に第２係合部３９を形成している。ここで、前記下連結具８の下方へ突設した第１係合部３５が側面視略Ｔ字形の係合凸部であり、前記上連結具９の第２係合部３９が内部よりも開口部が狭い係合凹部であり、前記第１係合部３５と第２係合部３９がパネル面内方向にスライド係合してそれぞれ互いに上下変位不能に係合する構造である。ここで、前記単位パネル１の上嵌合部１６の嵌合溝２９と上連結具９の第２係合部３９とは断面形状を略一致させている。
【００２６】
そして、前記締結具１０は、前記下連結具８の角孔３４と前記上連結具９の角孔３７に上下摺動可能に嵌入する断面正方形の連結軸４０と締結ネジ４１とからなっている。前記連結軸４０の下端部は、下連結具８の角孔３４に嵌合し、側方からＣ字形のバネピン４２を筒部と連結軸４０に密嵌して固定する。前記連結軸４０の上端部には、軸方向に螺孔４３を形成してあり、上端部を前記上連結具９の角孔３７に嵌合し、締結ネジ４１を上方から通孔３８に通して螺孔４３に螺合する。ここで、前記締結具１０は、全て両端部部材１９，１９の凹溝部２１，２１内に収容されるようになっている。
【００２７】
そして、前記単位パネル１，…を上下左右に連結するには、下段から上段へ順次、下連結具８、上連結具９及び締結具１０を用いて行う。先ず、前記連結軸４０の下端部に取付けた下連結具８の両係止爪部３３，３３を、左右の単位パネル１，１の端部同士、具体的にはそれぞれの端部部材１９，１９の鍔部２０，２０同士を接合し、各端部部材１９，１９の下係止部２２，２２に係止する。この際に、前記連結軸４０は凹溝部２１，２１で形成される縦孔内に立起状態で位置する。それから、上方から前記上連結具９の角孔３７内に連結軸４０の上端部を嵌合するとともに、両係止爪部３６，３６を各端部部材１９，１９の上係止部２３，２３に係止し、上方から締結ネジ４１を通孔３８を通して挿入し、前記連結軸４０の螺孔４３に螺合する。この締結ネジ４１を締め付けることにより、下連結具８と上連結具９を引き付けるとともに、前記係止爪部３３，３３及び係止爪部３６，３６の傾斜を利用して左右の単位パネル１，１を引き寄せて連結するのである。
【００２８】
ここで、前記端部部材１９の一方の鍔部２０には、凹溝部２１の開口部に沿って突条２０Ａを形成するととともに、他方の鍔部２０には、凹溝部２１の開口部に沿って条溝２０Ｂを形成している。そして、左右の単位パネル１，１を連結する際に、各端部部材１９，１９の鍔部２０，２０を接合すると、前記突条２０Ａと条溝２０Ｂが係合し、パネル面外方向への変位を規制し、正確な位置で連結することができるようになっている。ここで、左右の単位パネル１，１間に有する互いに接合した一対の鍔部２０，２０が、縦目地を構成する。
【００２９】
そして、既に左右に連結した単位パネル１，…の上段に単位パネル１，１を連結するには、図１及び図５に示すように、下段の単位パネル１，１の連結に用いた上連結具９を利用する。具体的には、前記連結軸４０の下端部に取付けた下連結具８の第１係合部３５を、下段の連結に用いた上連結具９の第２係合部３９にパネル面内方向からスライド係合させて立起状態に維持し、その状態で両単位パネル１，１の下嵌合部１５を、下段の単位パネル１，１の上嵌合部１６に載置して凹凸嵌合するとともに、各端部部材１９，１９の下係止部２２，２２を下連結具８の両係止爪部３３，３３に係合させる。その後は、前記同様に上方から前記上連結具９の角孔３７内に連結軸４０の上端部を嵌合するとともに、両係止爪部３６，３６を各端部部材１９，１９の上係止部２３，２３に係止し、上方から締結ネジ４１を通孔３８を通して挿入し、前記連結軸４０の螺孔４３に螺合する。すると、前記下連結具８が引き上げられ、該第１係合部３５が下方の上連結具９の第２係合部３９に強く係合する。この際、前記下連結具８の両係止爪部３３，３３が各端部部材１９，１９の下係止部２２，２２に同時に強く接触するように寸法設定することが好ましい。
【００３０】
次に、前記笠木ベース１１及び笠木カバー１２を最上段の単位パネル１の上端、巾木部材４４を最下段の単位パネル１の下端にそれぞれ連結する構造を図１、図２、図４〜図７に基づいて簡単に説明する。前記笠木ベース１１、笠木カバー１２及び巾木部材４４は、アルミ押出し型材から作製されており、前記単位パネル１の横幅に応じて適宜長さに切断される。前記笠木ベース１１の下部の嵌合部４５の形状は、前記単位パネル１の下嵌合部１５の形状と類似し、また前記巾木部材４４の上部の嵌合部４６の形状は、前記単位パネル１の上嵌合部１６の形状と一致している。前記笠木カバー１２は、笠木ベース１１を完全に覆うように上方から外嵌する。
【００３１】
前記笠木ベース１１を最上段の単位パネル１の上端に取付けるには、該笠木ベース１１の底面を貫通させたネジ４７を前記単位パネル１の上嵌合部１６に形成した嵌合溝２９内に側端から挿入した係止部材４８に螺合して締め付ける。具体的には、前記笠木ベース１１の底面に、前記ネジ４７を挿通する通孔４９とその両側に角穴５０，５０を形成する。そして、前記係止部材４８は、前記嵌合溝２９に上方への抜止め状態でスライド係合する長方形の板片の中央部に螺孔５１を形成するとともに、その両側に前記嵌合溝２９から上方へ突出し、前記笠木ベース１１の角穴５０，５０に嵌入する突起５２，５２を上方へ向けて形成している。そして、前記係止部材４８を単位パネル１の嵌合溝２９に係合した状態で、前記笠木ベース１１の嵌合部４５を単位パネル１の上嵌合部１６に嵌合するとともに、前記係止部材４８の突起５２，５２を笠木ベース１１の角穴５０，５０に嵌合し、上方から通孔４９にネジ４７を通して係止部材４８の螺孔５１に螺合して取付ける。
【００３２】
また、隣接する単位パネル１，１の連結部においては、両側の笠木ベース１１，１１にわたる長さの連結板５３を用いて強固に連結する。前記連結板５３の両端部には、前記笠木ベース１１の通孔４９と角穴５０，５０とに対応させて通孔５４と角穴５５，５５をそれぞれ形成している。そして、前記笠木ベース１１の角穴５０，５０から上方へ突出した前記係止部材４８の突起５２，５２に、前記連結板５３の角穴５５，５５を嵌合した状態で、該連結板５３の通孔５４と笠木ベース１１の通孔４９を通したネジ４７を係止部材４８の螺孔５１に螺合して取付ける。前記連結板５３の両側がそれぞれ隣接する笠木ベース１１，１１を介して単位パネル１，１に連結される。
【００３３】
そして、前記笠木カバー１２は、断面略コ字形であり、その凹溝内上面には断面Ｌ字形の一対の係止片５６，５６が平行に対向形成され、合成樹脂製の嵌合部材５７の上部の係止板５８を回転係合できるようになっている。前記笠木カバー１２には、所定数の嵌合部材５７，…を装着した状態で、前記笠木ベース１１に上方から嵌合すると、前記嵌合部材５７の下部に形成した脚片５９，５９が笠木ベース１１の内部に弾性的に係合する。
【００３４】
前記巾木部材４４は、両端部に前記単位パネル１の凹溝１８と同様な凹溝６０を形成し、該凹溝６０に上段の単位パネル１の端部部材１９の下方延長部を嵌合し、前記同様にネジ止めするとともに、上部の嵌合部４６を単位パネル１の下嵌合部１５に凹凸嵌合する。尚、前記巾木部材４４には適宜アジャスター６１を設けている。
【００３５】
ここで、本実施形態に係る間仕切装置は、現場で順次積上げて構築することが特徴であるが、下部は最小限の高さが必要であるので、当該巾木部材４４と１枚〜４枚の単位パネル１，…を予め工場出荷時点で連結しておくことも好ましい。その場合には、長尺の前記端部部材１９，１９を用いて巾木部材４４と単位パネル１，…を上下に連結する。あるいは、取り扱いができる程度に、複数の単位パネル１，…を上下に凹凸嵌合するとともに、両端の各凹溝１８，…に亘って長尺の端部部材１９，１９の凹溝部２１を嵌合し、タッピンねじ２５で強固に連結して一体物の複合パネルを形成し、これを単位パネル１と同様に扱って前述のように上下左右に連結することも可能である。そして、この複合パネルを左右に連結するには、上下高さに応じた長尺の連結軸４０を用意するだけで良く、その他の下連結具８や上連結具９は共通のものを使用できる。
【００３６】
前記笠木ベース１１と笠木カバー１２の一端部には、図１２に示す合成樹脂製の笠木キャップ３を嵌着して端部を閉塞している。尚、前記笠木キャップ３には、前記笠木ベース１１及び笠木カバー１２の端面を覆うフランジ部６２を有し、該フランジ部６２の厚さは、前記端部部材１９の鍔部２０の厚さの２倍とし、左右の連結部において一方の側の笠木ベース１１と笠木カバー１２の端部にのみ笠木キャップ３を嵌着し、他方の側の笠木ベース１１と笠木カバー１２の端面は前記フランジ部６２を当接するようになっている。前記笠木キャップ３は、前記フランジ部６２から前記笠木ベース１１に上方から嵌着する装着部６３を延設し、またフランジ部６２の下部には前記上連結具９を収容するため、あるいは前記連結板５３を通過させるための凹部６４を設けている。そして、前記笠木キャップ３のフランジ部６２の外周面に、厚さ方向中央部に最深部を有するＶ字溝６５を形成している。
【００３７】
ここで、前記笠木ベース１１は、図５及び図８に示すように、断面において表裏両側部に前記ハンギング溝３２の上部を構成する断面Ｔ字形の係止条６６，６６を有するとともに、該係止条６６，６６の内側に立起した板状の保持条６７，６７を形成し、両保持条６７，６７の中間部に突条６８を形成し、該突条６８と保持条６７，６７の間に条溝６９，６９を有している。前記連結板５３は、前記笠木ベース１１の突条６８の上面と両保持条６７，６７との間に嵌合状態で連結される。そして、前記嵌合部材５７の両脚片５９，５９は、前記笠木ベース１１の条溝６９，６９内で前記保持条６７，６７の内側の突起に係合して保持される。また、前記笠木キャップ３の装着部６３は、中央部の押え部６３Ａとその両側の保持片６３Ｂ，６３Ｂとで構成され、図７に示すように、前記笠木ベース１１の両保持条６７，６７の外側に保持片６３Ｂ，６３Ｂが嵌合し、前記係止条６６，６６の基部に当止して保持される。そして、前記笠木ベース１１に笠木カバー１２を前記嵌合部材５７，…を用いて装着すると、断面において笠木カバー１２の両側板７０，７０の内面に設けたフック片７１，７１を前記笠木ベース１１の係止条６６，６６の上縁に係止するとともに、該笠木カバー１２の内面で前記笠木キャップ３の押え部６３Ａを当止するようになっている。
【００３８】
図１３及び図１４は、パネルの上部において直線状連結部の構造を示し、先ず単位パネル１，１同士を連結し（図１３（ａ）参照）、それから各単位パネル１，１の上端に前記笠木ベース１１を、連結板５３と係止部材４８を用いて強固に連結した後、一方の笠木ベース１１の端部に上方から前記笠木キャップ３の装着部６３を嵌合し（図１３（ｂ）参照）、最後に各笠木ベース１１の上に笠木カバー１２を前記嵌合部材５７，…を用いて装着するのである（図１３（ｃ）参照）。図１４（ａ）は、各単位パネル１，１の上端に笠木ベース１１を取付けた状態の正面図を示し、両笠木ベース１１，１１の間には、前記端部部材１９の鍔部２０の二倍の厚さに相当する隙間を設けている。図１４（ｂ）は、一方の笠木ベース１１の端部に前記笠木キャップ３の装着部６３を嵌合し、前述の隙間をフランジ部６２で埋めた状態を示している。尚、実際の施工においては、一方の笠木ベース１１を取付け、その端部に笠木キャップ３を嵌着し、それから他方の笠木ベース１１を前記笠木キャップ３のフランジ部６２に接合させて取付けるのである。図１４（ｃ）は、各笠木キャップ３に笠木カバー１２を装着した状態を示している。
【００３９】
このように複数の単位パネル１，…を上下左右に連結した状態は、図１に示している。この場合、上下の単位パネル１，１間に形成したハンギング溝３２は左右に連続して目地部を兼ねている。また、左右の単位パネル１，１間には端部部材１９，１９の鍔部２０，２０が重なって存在している以外に何もなく、すっきりとした外観となっている。同様に、最上段の単位パネル１と笠木カバー１２との間にも前記同様なハンギング溝３２が設けられている。また、最下段の単位パネル１と前記巾木部材４４との間にも前記同様なハンギング溝３２が設けられている。そして、前記単位パネル１の表面板１３と裏面板１４、笠木カバー１２及び巾木部材４４の側面は、横方向に延び、上下方向に繰り返しの波形面となっており、全体として統一的な意匠を構成している。
【００４０】
尚、前記下連結具８の第１係合部３５は、前記単位パネル１の上嵌合部１６に形成した嵌合溝２９にスライド係合することが可能であるので、下段の連結に供した上連結具９の第２係合部３９に係合させなくても、上段に単位パネル１を積上げて連結することが可能である。
【００４１】
次に、図２、図１５〜図２０に基づいて、Ｌ字状連結部の構造を説明する。前記単位パネル１，…を、コーナーポスト４（４Ａ）を用いてＬ字状に連結する。前記コーナーポスト４は、ポスト本体７２とポストカバー７３及びポストキャップ５とで構成されている。本発明は、前記ポスト本体７２は、前記単位パネル１に対応する上下寸法を有し、複数のポスト本体７２，…を上下に複数接続し、各ポスト本体７２にそれぞれ前記ポストカバー７３を係止してなるのである。前記ポスト本体７２の隣接した二面に、それぞれ単位パネル１，１を連結し、残りの２面の外側面に外面に平面視Ｌ字形のポストカバー７３を取付けるようになっている。前記ポスト本体７２は、アルミ押し出し型材から作製し、中央部に四角形の筒部７４を有し、その一つのコーナー部から矢印形断面のエッジ部７５を形成し、該エッジ部７５に対向する二つのコーナー部に断面略Ｌ字状の延長部７６，７６をそれぞれ形成し、エッジ部７５と延長部７６とで凹溝部７７を形成するとともに、延長部７６の端縁に一体形成した外側へ延びた鍔部７８とエッジ部７５の一面とで前記単位パネル１の端部部材１９の鍔部２０，２０に接合するようになっている。そして、前記ポスト本体７２の外側二面の上下部に係止具８２を嵌着する開口７９，７９を形成している。ここで、前記係止具８２には、上向きの係止片８３を有している。そして、前記ポスト本体７２の凹溝部７７内の下端部と上端部にそれぞれ下係止部８０と上係止部８１を形成し、前記同様に下連結具８、上連結具９及び締結具１０を用いて単位パネル１の端部部材１９に連結できるようになっている。ここで、単位パネル１とコーナーポスト４との間に有する互いに接合した一対の鍔部２０と鍔部７８が、縦目地を構成する。
【００４２】
前記ポストカバー７３は、図１７に示すように、前記単位パネル１の表面と同じ波形面を形成したアルミ押し出し型材を加工して平面視Ｌ字形に形成したものである。この型材は、内側の上端部と下部とに下向きの係止部８４，８４を形成し、上下縁には前記単位パネル１の係止縁３０と同様な端縁８５，８５を形成し、更に内側の上部と下端部に上向きの係止部８６，８６を形成し、９０度に折曲したコーナー部に係止部８６を利用して合成樹脂製のＬ字形保形部材８７を嵌合して形状を維持している。前記型材は端面に４５度の傾斜面を形成し、それらを互いに接合した状態で前記保形部材８７を上下の両係止部８６，８６に嵌合する。あるいは、型材を完全に切り離さずに、該型材の途中に９０度のＶ字形の切れ込みを入れ、この部分で折曲して切断面を接合し、９０度の角度のコーナー部を形成することも可能である。前記係止部８４と係止部８６は、断面略Ｌ字形であり、型材の押し出し方向（長手方向）に沿って平行に形成されている。
【００４３】
そして、前記ポスト本体７２の二対あるエッジ部７５と鍔部７８を有する側に単位パネル１の端部部材１９を接合して前記同様に下連結具８、上連結具９及び締結具１０にて連結する。前記ポスト本体７２の残りの二面の開口７９，…にそれぞれ前記係止具８２，…を取付け、前記ポストカバー７３の係止部８４を係止する。図２６（ａ）は、前記ポスト本体７２にＬ字形のポストカバー７３を取付けた状態の横断面図である。
【００４４】
前記ポストキャップ５は、図１５及び図１６に示すように、下部に前記ポスト本体７２の筒部７４の上端部に嵌合する嵌合突起８８を突設するとともに、連結側の一側面に爪片８９を突設し、前記笠木キャップ３の凹部６４で該爪片８９を上方から当止し、抜止めを図っている。更に、前記ポストキャップ５は、前記爪片８９を突設した一側面以外の三側面は前記笠木カバー１２と同様の外観の化粧面とし、具体的には単位パネル１の表面板１３と同様な横方向に延び、上下方向に繰り返しの波形面としている。また、前記ポスト本体７２の上端にポストキャップ５を嵌着した状態で、該ポスト本体７２のパネル連結面側において当該ポストキャップ５の側面が、前記笠木キャップ３のフランジ部６２の厚さの半分だけ内側に位置している。つまり、前記笠木キャップ３のフランジ部６２とポストキャップ５の側面が接合した状態では、該フランジ部６２の半分がポスト本体７２の鍔部７８を含む縁部に重なるようになり、それにより縦目地とフランジ部６２が上下に連続するのである。
【００４５】
図１８（ａ）に示すように、前記ポスト本体７２を介して二つの単位パネル１，１を平面視Ｌ字状に連結した後、図１８（ｂ）に示すように、前記ポスト本体７２の上端にポストキャップ５を嵌着する。この状態で、前記ポスト本体７２の連結側の二面において、該ポスト本体７２の鍔部７８及びエッジ部７５の周端部がポストキャップ５から露出するように寸法設定されている。また、各単位パネル１の上端に前述のように笠木ベース１１と取付けた状態で、該笠木ベース１１の端部とポストキャップ５の間に前記鍔部２０の二倍の厚さの間隙を設ける。前記ポストキャップ５の爪片８９は、一方の連結側に突出している。それから、図１９（ａ）に示すように、前記ポストキャップ５に対面する各笠木ベース１１の端部に、前記笠木キャップ３を上方から嵌合して取付けることにより、前記ポストキャップ５の爪片８９が一方の笠木キャップ３の凹部６４で上方から当止される。ここで、前記フランジ部６２の凹部６４を形成した部分の下縁が、前記ポストキャップ５の爪片８９を上方から当止する当止部となるが、勿論、パネルの連結手段、特に上連結具９との関係、及び連結板５３の関係で凹部６４を設ける必要がなければフランジ部６２の下縁が、そのまま前記ポストキャップ５の爪片８９を上方から当止する当止部となる。ここで、前記笠木キャップ３のフランジ部６２の厚さの半分は、前記ポスト本体７２の鍔部７８とエッジ部７５の縁部に載置される。最後に、図１９（ｂ）に示すように、各笠木ベース１１の上に笠木カバー１２を前記嵌合部材５７，…を用いて装着するのである。それにより、図２０に示すように、前記笠木キャップ３の装着部６３が笠木カバー１２によって上方から押さえ込まれ、笠木キャップ３の上方移動が規制され、もって前記ポストキャップ５の持ち上がりが規制され、前記ポスト本体７２から容易に外れなくなるのである。
【００４６】
前記保形部材８７は、図２１に示すように、二つの嵌合片９０，９０が平面視Ｌ字形に配した合成樹脂製部材であり、両嵌合片９０，９０が前記ポストカバー７３の上向き係止部８６，８６に上方から嵌合し、その嵌合状態を維持するため、各嵌合片９０には前記係止部８６に圧接する弾性片９１を一部に形成している。
【００４７】
上下のポストカバー７３，７３の間には、前記ハンギング溝３２に連続する横溝９２が形成され、合成樹脂製のポストキャップ５と最上段のポストカバー７３の間にも横溝９２が形成され、前記ハンギング溝３２と連続する。
【００４８】
また、図３及び図２２に示すように、Ｔ字状連結部においては、前述のＬ字状連結部と略同じであるが、この場合のコーナーポスト４（４Ｂ）のポスト本体９３は、隣接する二つのコーナー部にエッジ部７５，７５を有し、各エッジ部７５に隣接するコーナー部にそれぞれ前記同様の延長部７６を形成し、またポストカバー９４が直線状の平面視形状を有している。この場合も、前記ポスト本体９３は、前記単位パネル１に対応する上下寸法を有し、複数のポスト本体９３，…を上下に複数接続し、各ポスト本体９３にそれぞれ前記ポストカバー９４を係止してなるのである。図２２（ａ）に示すように、前記ポスト本体９３の二つのエッジ部７５，７５を有する一面と、各エッジ部７５と隣接するコーナー部の鍔部７８を有する二面に、それぞれ単位パネル１の端部部材１９を接合して前記同様に下連結具８、上連結具９及び締結具１０にて連結する。そして、図示しないが、ポスト本体９３の外側一面に前記同様に形成した開口７９，７９に係止具８２，８２を嵌着し、直線状のポストカバー９４の係止部８４，８４を係止して保持する。そして、前記同様に上下のポストカバー９４，９４の間には、前記ハンギング溝３２に連続する横溝９５が形成され、ポストキャップ５と最上段のポストカバー９４の間にも横溝９５が形成されている。また、図２２（ｂ）に示すように、前記ポストキャップ５の連結側三面には、それぞれ笠木ベース１１に嵌着し、笠木カバー１２で押さえ込まれた笠木キャップ３のフランジ部６２が当接するとともに、何れかの笠木キャップ３の凹部６４で前記ポストキャップ５の爪片８９を当止して抜止めを図っている。
【００４９】
そして、図２３に示すように、十字状連結部においては、前記コーナーポスト４（４Ｃ）のポスト本体９６の４つのコーナー部にエッジ部７５，…を形成した構造とし、各面に単位パネル１，…を連結するので、前述のようなポストカバーは不要である。つまり、図２３（ａ）に示すように、前記ポスト本体９６の各エッジ部７５，７５に単位パネル１の端部部材１９を接合して前記同様に下連結具８、上連結具９及び締結具１０にて連結する。そして、前記同様に、前記ポストキャップ５の連結側四面には、それぞれ笠木ベース１１に嵌着し、笠木カバー１２で押さえ込まれた笠木キャップ３のフランジ部６２が当接するとともに、何れかの笠木キャップ３の凹部６４で前記ポストキャップ５の爪片８９を当止して抜止めを図っている（図２３（ｂ）参照）。
【００５０】
最後に、図２４及び図１８に基づいて、終端部の処理を説明する。終端に位置する単位パネル１の端部に、エンドポスト６のポスト本体９７を前記同様に連結するとともに、ポスト本体９７の側面を覆うように平面視コ字形のエンドカバー９８を取付け、そしてポスト本体９７の上端にエンドキャップ７を嵌着する。エンドポスト６は、ポスト本体９７、エンドカバー９８及びエンドキャップ７で構成されている。この場合も、前記ポスト本体９７は、前記単位パネル１に対応する上下寸法を有し、複数のポスト本体９７，…を上下に複数接続し、各ポスト本体９７にそれぞれ前記エンドカバー９８を係止してなるのである。尚、本実施形態では、エンドカバー９８と称しているが、機能的には前記ポストカバー７３、９８と同様である。
【００５１】
前記ポスト本体９７は、前記端部部材１９と類似した断面形状を持つアルミ押し出し型材から作製し、前記コーナーポスト４の凹溝部７７と同様な凹溝部９９とその両側に鍔部１００，１００を有している。このポスト本体９７の鍔部１００，１００と単位パネル１の端部部材１９の鍔部２０，２０を接合した際に、前記同様にパネル面外方向へズレないように凹凸嵌合するようにしている。そして、前記ポスト本体９７の凹溝部９９の内部の下端部に前記下係止部８０と同様な下係止部１０１を形成し、上端部に前記上係止部８１と同様な上係止部１０２を形成し、前記下連結具８、上連結具９及び締結具１０を用いて端部部材１９にポスト本体９７を連結できるようにしている。図２４及び図２６（ｂ）に示すように、前記ポスト本体９７の凹溝部９９の上下部の底部に開口１０３，１０３を形成し、該開口１０３，１０３に係止具８２を取付け、該係止具８２の上向き係止片８３に前記エンドカバー９８の係止部８４，８４を係止する。ここで、単位パネル１とエンドポスト６との間に有する互いに接合した一対の鍔部２０と鍔部１００が、縦目地を構成する。
【００５２】
前記エンドカバー９８は、前記ポストカバー７３と同じ型材を用いて、平面視コ字形に成形し、前記係止部８６，８６コーナー部に前記保形部材８７をそれぞれ嵌着して作成する。ここで、上下のエンドカバー９８の端縁８５，８５の間には、図４に示すように、前記ハンギング溝３２に連続する横溝１０４が形成される。また、最上段のエンドカバー９８の上端と前記笠木２の端部の空間部には、合成樹脂製のエンドキャップ７を取付け、該エンドキャップ７と最上段のエンドカバー９８の間にも前記同様な横溝１０４が形成されるようになっている。
【００５３】
そして、前記エンドキャップ７の下部には前記ポスト本体９７の上端部に嵌合する嵌合突起１０５を形成するとともに、連結側の一側面には爪片１０６を突設している。そして、前記エンドキャップ７の嵌合突起１０５をポスト本体９７の上端部に嵌合した後、前記笠木ベース１１の端部に上方から嵌合した前記笠木キャップ３の凹部６４で爪片１０６を上方から当止し、更に笠木キャップ３の上方から笠木カバー１２を嵌着することにより、該笠木カバー１２の端部で笠木キャップ３の装着部６３を上方から当止することから、当該笠木キャップ３が上方へ抜けることを防止している。また、前記単位パネル１を左右で高さを段違いに連結する場合もあるが、その場合には、高い方の単位パネル１の側端には前記エンドポスト６を連結して端部を隠蔽する。
【００５４】
図２７には、その他の各種コーナーポストのポスト本体にポストカバーを装着した断面図を示している。何れの場合も、ポスト本体は、前記単位パネル１に対応する上下寸法を有し、複数のポスト本体を上下に複数接続し、各ポスト本体にそれぞれ前記ポストカバーを係止してなるのである。
【００５５】
図２７（ａ）は、前述の平面視Ｔ字状連結部に使用するコーナーポスト４Ｂを示している。このコーナーポスト４Ｂのポスト本体９３は、三面に前記単位パネル１，…を連結する凹溝部７７，…を設け、残りの一面に直線状のポストカバー９４を装着したものである。このポストカバー９４には、前記ポストカバー７３を作製した型材をそのまま切断して用い、前記係止具８２でポスト本体９３に係着する。
【００５６】
図２７（ｂ）は、間仕切装置の終端部に前記エンドポスト６よりは強度の高い端部ポスト１０７を設ける場合を示し、該端部ポスト１０７のポスト本体１０８は、前記同様に筒部７４の一側面のみに凹溝部７７を設けた構造であり、その他の三面に平面視コ字形のポストカバー１０９を装着している。このポストカバー１０９は、前記エンドカバー９８とは両側化粧面の寸法が異なり、その他の構造は全く同じである。
【００５７】
図２７（ｃ）は、直線状に単位パネル１，１を連結する場合、中間ポスト１１０を介して連結する場合を示している。具体的には、中間ポスト１１０のポスト本体１１１は、筒部７４の対向する二面に前記単位パネル１，１を連結する凹溝部７７，７７を形成し、他の二面には前記ポストカバー９４と同様な直線状のポストカバー１１２をそれぞれ係止具８２で係着している。
【図面の簡単な説明】
【００５８】
【図１】本実施形態の間仕切装置の直線状連結部を示す部分斜視図である。
【図２】間仕切装置のＬ字状連結部を示す部分斜視図である。
【図３】間仕切装置のＴ字状連結部を示す部分斜視図である。
【図４】間仕切装置の終端部を示す部分斜視図である。
【図５】間仕切装置の分解斜視図である。
【図６】単位パネルを上下に連結する構造を示す要部の分解斜視図である。
【図７】複数の単位パネルを上下左右に連結した状態の部分縦断正面図である。
【図８】単位パネルの端部の構造と笠木ベース、笠木カバー及び笠木キャップとの関係を示す分解斜視図である。
【図９】単位パネルの端部の構造と笠木及び巾木部材との関係を示す分解斜視図である。
【図１０】同じく単位パネルと笠木及び巾木部材との関係を示す縦断側面図である。
【図１１】単位パネルに笠木ベースを取付ける構造と笠木カバーを保持する構造を示す平面図である。
【図１２】笠木キャップを示し、（ａ）は斜視図、（ｂ）は正面図、（ｃ）は右側面図、（ｄ）は左側面図、（ｅ）は平面図、（ｆ）は底面図をそれぞれ示す。
【図１３】直線状連結部を示し、（ａ）は単位パネルを直線状に連結した状態を示す部分平面図、（ｂ）は笠木ベースと笠木キャップを装着した状態の部分平面図、（ｃ）は笠木カバーを装着した完成状態の部分平面図を示している。
【図１４】同じく直線状連結部を示し、（ａ）は各単位パネルの上端に笠木ベースを取付けた状態の部分正面図、（ｂ）は笠木キャップを装着した状態の部分正面図、（ｃ）は笠木カバーを装着した完成状態の部分正面図を示している。
【図１５】Ｌ字状連結部の構造を示す分解斜視図である。
【図１６】ポストキャップを示し、（ａ）は斜視図、（ｂ）は正面図、（ｃ）は右側面図、（ｄ）は左側面図、（ｅ）は平面図、（ｆ）は底面図をそれぞれ示す。
【図１７】同じくコーナーポストとポストカバーとの関係を示す分解斜視図である。
【図１８】Ｌ字状連結部を示し、（ａ）は単位パネルをＬ字状に連結した状態を示す部分平面図、（ｂ）は笠木ベースとポストキャップを装着した状態の部分平面図を示している。
【図１９】同じくＬ字状連結部を示し、（ａ）は図１８（ｂ）の状態から更に笠木キャップを装着した状態の部分正面図、（ｂ）は笠木カバーを装着した完成状態の部分平面図を示している。
【図２０】同じくＬ字状連結部の部分縦断側面図である。
【図２１】保形部材を示し、（ａ）は斜視図、（ｂ）は正面図、（ｃ）は左側面図、（ｄ）は平面図、（ｅ）は底面図をそれぞれ示す。
【図２２】Ｔ字状連結部を示し、（ａ）は単位パネルをＴ字状に連結した状態を示す部分平面図、（ｂ）は笠木ベースとポストキャップを装着した後、笠木キャップと笠木カバーを順に装着した完成状態の部分平面図を示している。
【図２３】十字状連結部を示し、（ａ）は単位パネルを十字状に連結した状態を示す部分平面図、（ｂ）は笠木ベースとポストキャップを装着した後、笠木キャップと笠木カバーを順に装着した完成状態の部分平面図を示している。
【図２４】終端部の処理構造を示す分解斜視図である。
【図２５】エンドキャップを示し、（ａ）は斜視図、（ｂ）は正面図、（ｃ）は右側面図、（ｄ）は左側面図、（ｅ）は平面図、（ｆ）は底面図をそれぞれ示す。
【図２６】（ａ）はコーナーポストのポスト本体にＬ字形のポストカバーを取付けた状態の横断面図、（ｂ）はエンドポストのポスト本体にコ字形のエンドカバーを取付けた状態の横断面図である。
【図２７】（ａ）はコーナーポストのポスト本体に直線状のポストカバーを取付けた状態の横断面図、（ｂ）は端部ポストのポスト本体にコ字形のエンドカバーを取付けた状態の横断面図、（ｃ）は中間ポストのポスト本体に直線状のポストカバーを取付けた状態の横断面図である。
【符号の説明】
【００５９】
１  単位パネル、        ２  笠木、
３  笠木キャップ、      ４  コーナーポスト、
５  ポストキャップ、    ６  エンドポスト、
７  エンドキャップ、    ８  下連結具、
９  上連結具、          １０  締結具、
１１  笠木ベース、      １２  笠木カバー、
１３  表面板、          １４  裏面板、
１５  下嵌合部、        １６  上嵌合部、
１７  連結部、          １８  凹溝、
１９  端部部材、        ２０  鍔部、
２１  凹溝部、          ２２  下係止部、
２３  上係止部、        ２４  下穴、
２５  タッピンねじ、    ２６  底面部、
２７  係合溝、          ２８  突部、
２９  嵌合溝、          ３０  係止縁、
３１  開口部、          ３２  ハンギング溝、
３３  係止爪部、        ３４  角孔、
３５  係合部、          ３６  係止爪部、
３７  角孔、            ３８  通孔、
３９  係合部、          ４０  連結軸、
４１  締結ネジ、        ４２  バネピン、
４３  螺孔、            ４４  巾木部材、
４５  嵌合部、          ４６  嵌合部、
４７  ネジ、            ４８  係止部材、
４９  通孔、            ５０  角穴、
５１  螺孔、            ５２  突起、
５３  連結板、          ５４  通孔、
５５  角穴、            ５６  係止片、
５７  嵌合部材、        ５８  係止板、
５９  両脚片、          ６０  凹溝、
６１  アジャスター、    ６２  フランジ部、
６３  装着部、          ６３Ａ  押え部、
６３Ｂ  保持片、        ６４  凹部、
６５  Ｖ字溝、          ６６  係止条、
６７  保持条、          ６８  突条、
６９  条溝、            ７０  側板、
７１  フック片、        ７２  ポスト本体、
７３  ポストカバー、    ７４  筒部、
７５  エッジ部、        ７６  延長部、
７７  凹溝部、          ７８  鍔部、
７９  開口、            ８０  下係止部、
８１  上係止部、        ８２  係止具、
８３  係止片、          ８４  係止部、
８５  端縁、            ８６  係止部、
８７  保形部材、        ８８  嵌合突起、
８９  爪片、            ９０  嵌合片、
９１  弾性片、          ９２  横溝、
９３  ポスト本体、      ９４  ポストカバー、
９５  横溝、            ９６  ポスト本体、
９７  ポスト本体、      ９８  エンドカバー、
９９  凹溝部、          １００  鍔部、
１０１  下係止部、      １０２  上係止部、
１０３  開口、          １０４  横溝、
１０５  嵌合突起、      １０６  爪片、
１０７  端部ポスト、    １０８  ポスト本体、
１０９  ポストカバー、  １１０  中間ポスト、
１１１  ポスト本体、    １１２  ポストカバー。
【図１】
2010037794.tif 000003
【図２】
2010037794.tif 000004
【図３】
2010037794.tif 000005
【図４】
2010037794.tif 000006
【図５】
2010037794.tif 000007
【図６】
2010037794.tif 000008
【図７】
2010037794.tif 000009
【図８】
2010037794.tif 000010
【図９】
2010037794.tif 000011
【図１０】
2010037794.tif 000012
【図１１】
2010037794.tif 000013
【図１２】
2010037794.tif 000014
【図１３】
2010037794.tif 000015
【図１４】
2010037794.tif 000016
【図１５】
2010037794.tif 000017
【図１６】
2010037794.tif 000018
【図１７】
2010037794.tif 000019
【図１８】
2010037794.tif 000020
【図１９】
2010037794.tif 000021
【図２０】
2010037794.tif 000022
【図２１】
2010037794.tif 000023
【図２２】
2010037794.tif 000024
【図２３】
2010037794.tif 000025
【図２４】
2010037794.tif 000026
【図２５】
2010037794.tif 000027
【図２６】
2010037794.tif 000028
【図２７】
2010037794.tif 000029